(57)【要約】【課題】  構成が簡単で、レースウェイの取り付け作業が容易になると共に、地震等によっても落下しにくく安全な装置を提供すること。  【解決手段】  建物の天井空間に配設されたレースウェイに長尺の照明器具を取り付ける取付装置において、前記取付装置は前記レースウェイに固定する固定部と前記照明器具本体を取り付ける取付部とから構成され、該固定部は該レースウェイの上方から下向きに該レースウェイを狭持するように設けられた着脱自在な固定部材と該固定部材を該レースウェイに固定するねじ手段とからなり、前記取付部は該固定部材からレースウェイの直交方向の両側に延長した延長部材と該延長部材の端部に設けた該照明器具本体の取付具からなることを特徴とする。    【選択図】  図１
2007287421.tif 000002
【特許請求の範囲】
【請求項１】
建物の天井空間に配設されたレースウェイに長尺の照明器具を取り付ける取付装置において、前記取付装置は前記レースウェイに固定する固定部と前記照明器具本体を取り付ける取付部とから構成され、該固定部は該レースウェイの上方から下向きに該レースウェイを狭持又は嵌合するように設けられた着脱自在な固定部材と該固定部材を該レースウェイに固定するねじ手段とからなり、前記取付部は該固定部材からレースウェイの直交方向の両側に延長した延長部材と該延長部材の端部に設けた該照明器具本体を固定するための取付具からなることを特徴とする照明器具取付装置。
【請求項２】
前記固定部材は断面をコ字形状に構成し、下辺を開放辺としたことを特徴とする請求項１に記載の照明器具取付装置。  
【請求項３】
前記固定部材及び前記延長部材は一枚の鋼板を加工して形成したことを特徴とする請求項１又は請求項２の何れか１に記載の照明器具取付装置。
【請求項４】
前記ねじ手段は前記固定部材並びに前記レースウェイに雌ねじ又は穴を設けてボルト手段により固定したことを特徴とする請求項１〜請求項３の何れか１に記載の照明器具取付装置。
【請求項５】
前記固定部材及び前記延長部材の部材辺縁に折曲縁を設け、該折曲縁の重なり部を溶接して補強したことを特徴とする請求項１〜請求項４に記載の照明器具取付装置。
【請求項６】
建物の天井空間に配設されたレースウェイに長尺の照明器具を取り付ける取付装置において、前記取付装置は前記レースウェイに固定する固定部材と前記照明器具本体を取り付ける取付部材とから構成され、該固定部材は該レースウェイの上方から下向きに該レースウェイを狭持又は嵌合するように設けられた着脱自在な固定部と該固定部を該レースウェイに固定するねじ手段と該取付部材を係止する係止部とからなり、該係止部は該固定部からレースウェイの直交方向の両側に延長した延長部と該延長部の両側辺縁に係止縁を設け、前記取付部材は前記照明器具本体を固定する板部材の両側辺に前記係止縁に係止する折返縁を設けたことを特徴とする照明器具取付装置。  
【発明の詳細な説明】
【技術分野】
【０００１】
この発明は、倉庫や工場等の建物の天井空間に配設したレースウェイに照明器具を取り付ける取付装置の技術分野に属する。更に具体的には、例えば、長尺の直管蛍光灯をレースウェイの長手方向と直交させて取り付ける取付装置に関するものである。
【背景技術】
【０００２】
従来より、倉庫等に設置する照明器具は天井面に配設したレースウェイに取り付けて行われていた。また、レースウェイも人の通る通路や車路に沿って設ける場合は、直管蛍光灯等のような長尺の照明器具も長手方向がレースウェイに沿うように取り付けられていた。しかし、通路や車路の幅が広い場合に長尺の照明器具の長手方向をレースウェイに沿うように取り付けると明るさが不足する場合もあった。また、この場合にレースウェイを折線状にしたり、複数列（例えば、２列）にして平行に配置することも考えられるが、レースウェイの距離が長くなったり、レースウェイの天井面への取り付けが複雑になり、設置費用が嵩むという欠点が生じる。
【０００３】
このような欠点を解決する手段として長尺の照明器具の長手方向をレースウェイと直交方向に取り付けて直管蛍光灯の配置密度を高くして明るさを増加する方法が考えられる。特許文献１に示す照明器具支持金具はこのような場合にも対処できるようにしたものである。以下に図７、図８を利用してこの従来装置を説明する。
【特許文献１】公開特許公報、特開平９−３３０６１４号、照明器具支持金具
【０００４】
図７において、レースウェイ５０は吊ボルト５１、ハンガー５２によって天井空間に水平に配設されている。レースウェイ５０の下面にボルト５３を植設し、このボルト５３に照明器具取付金具６０が取り付けられている。照明器具取付金具６０は植設ボルト５３に固定する固定ベース金具６２（図８（Ａ）参照）と、固定ベース６２に水平角度が自在に設けられた固定脚６５と、固定脚６５に対して伸縮自在に設けられた可動脚６６と、可動脚を固定する固定金具６７、可動脚６６の他端に照明器具７０を固定する固定金具６８とから構成されている（図８（Ｂ）参照）。
【０００５】
固定ベース金具６２は、図８（Ａ）に示すように、中央にボルト穴６１を有する２枚のベース板６２ａ、６２ｂからなり、ベース板６２ａはレースウェイ５０に固定され、ベース板６２ｂは回転自在に設けられている。ベース板６２ａには所定角度（例：１５度）ごとにねじ穴６３ａが穿設され、ベース板６２ｂにはねじ穴６３ｂが穿設されている。ナット６３を緩めた状態では、ベース板６２ａと６２ｂは相互に回転可能であり、ある角度だけ変位させた状態でねじ穴６３ｂ、６３ａにビス６４を螺合させ、ナット６３を締めればベース板６２ａ、６２ｂ間の連結は固定され、照明器具７０はレースウェイ５０の長手方向に対して自由な角度で固定できる。
【発明の開示】
【発明が解決しようとする課題】
【０００６】
上記した従来装置では照明器具の取り付け角度を自由に変えることも、取り付け高さを自由に変えることもできて一見便利なように思われる。しかし、地震等に対して揺れやすい構造になっている上に、しかも、ねじを使用した連結部が多いことから、ねじが緩み、照明器具が落下する危険性も大きいという問題点がある。
本願発明の照明器具取付装置はレースウェイの長手方向と直交する方向に長尺の照明器具を取り付け可能にすると共に簡単な構造にして、レースウェイに確実に固定可能にし、且つ、落下しにくい構成の取付装置を提供することを課題としている。
【課題を解決するための手段】
【０００７】
上記課題を解決するために本発明は以下の手段を採用している。即ち、
請求項１記載の発明は、建物の天井空間に配設されたレースウェイに長尺の照明器具を取り付ける取付装置において、前記取付装置は前記レースウェイに固定する固定部と前記照明器具本体を取り付ける取付部とから構成され、該固定部は該レースウェイの上方から下向きに該レースウェイを狭持又は嵌合するように設けられた着脱自在な固定部材と該固定部材を該レースウェイに固定するねじ手段とからなり、前記取付部は該固定部材からレースウェイの直交方向の両側に延長した延長部材と該延長部材の端部に設けた該照明器具本体を固定するための取付具からなることを特徴としている。
【０００８】
請求項２に記載の発明は、請求項１の発明において、前記固定部材は断面をコ字形状に構成し、下辺を開放辺としたことを特徴としている。
【０００９】
請求項３記載の発明は、請求項１又は請求項２に記載の発明において、前記固定部材及び前記延長部材は一枚の鋼板を加工して形成したことを特徴としている。
【００１０】
請求項４記載の発明は、請求項１〜請求項３に記載の発明において、前記ねじ手段は前記固定部材並びに前記レースウェイに雌ねじ又は穴を設けてボルト手段により固定したこと特徴としている。
【００１１】
請求項５記載の発明は、請求項１〜請求項４に記載の発明において、前記固定部材及び前記延長部材の部材辺縁に折曲縁を設け、該折曲縁の重なり部を溶接して補強したことを特徴としている。
【００１２】
請求項６記載の発明は、建物の天井空間に配設されたレースウェイに長尺の照明器具を取り付ける取付装置において、前記取付装置は前記レースウェイに固定する固定部材と前記照明器具本体を取り付ける取付部材とから構成され、該固定部材は該レースウェイの上方から下向きに該レースウェイを狭持又は嵌合するように設けられた着脱自在な固定部と該固定部を該レースウェイに固定するねじ手段と該取付部材を係止する係止部とからなり、該係止部は該固定部からレースウェイの直交方向の両側に延長した延長部と該延長部の両側辺縁に係止縁を設け、前記取付部材は前記照明器具本体を固定する板部材の両側辺に前記係止縁に係止する折返縁を設けたことを特徴としている。
【発明の効果】
【００１３】
本発明によれば、構成が簡単で、レースウェイの取り付け作業が容易になると共に、地震等によっても落下しにくく安全であるという効果が得られる。
【発明を実施するための最良の形態】
【００１４】
＜実施形態１＞
図１は本発明を実施した実施形態１の全体構成の斜視図を示し、図２は取付装置１４の詳細を示す。図３は組立て分解図を示す。図１において、レースウェイ１０はレースウェイ本体１１とレースウェイカバー１２とから構成されている。レースウェイ本体１１は横断面が略コ字形状で下辺を開放しており、内部１３は空間にして配線を収納するために使用可能となっている。レースウェイカバー１２は専用のカバー止め金具（または、カバー固定金具、何れも図示省略）によってレースウェイ本体１１に堅固に固定される。なお、カバー止め金具は市販品がある。
「１４」は実施形態１の取付装置であり、レースウェイ本体１１に固定されると共に照明器具本体１５が取付装置１４の両端にボルトで固定される。
【００１５】
図２に示すように、取付装置１４は、中央部１４ａが上方に突起し、横倒したコ字形状に形成され、中央部１４ａの両側下端部から水平に外側に延長した延長部１４ｂとから構成されている。中央部１４ａの内側幅Ｂはレースウェイ本体１１の横幅Ｂ１より僅かに広く形成されている。又、中央部１４ａの上辺板の中央にはボルト穴２０が設けられている。同様に、両側の延長部１４ｂには照明器具本体１５を取り付けるための穴２２が設けられる。取付装置１４は１枚の鋼板から構成する。なお、レースウェイ本体１１にはボルト穴２０に対応する位置に図示省略の穴が設けられている。また、照明器具本体１５を取り付ける位置には、レースウェイカバー１２が照明器具本体１５の横幅よりも広い距離Ｃ１に渡って切除されている。即ち、照明器具本体１５への配線を引き出すために、その部分にレースウェイカバー１２を開けておく。
【００１６】
図３において、まず、取付装置１４をレースウェイ本体１１に取り付ける。即ち、取付装置１４を上方から開口辺を下向きにして、中央部１４ａがレースウェイ本体１１の取り付け位置部分を狭むように嵌合し、中央部１４ａの上辺内側をレースウェイ本体１１の上側辺に接触させて載置する。ボルト２１ａをレースウェイ本体１１のボルト穴（図示省略）、中央部１４ａのボルト穴２０の夫々に挿入させてナット２１ｂで固定する。次に、両側の延長部１４ｂに設けたボルト穴２２に照明器具本体１５をボルト２３ａとナット２３ｂによって固定した後、電気配線を器具内に引き込み、接続を行う。最後に、反射板１６、蛍光灯１７を照明器具本体１５に取り付ける。分解又は取り外しは上記した順序を逆に行う。
以上に説明したように、本実施形態によれば、構成が簡単で、レースウェイの取り付け作業が容易になると共に、地震等によっても落下しにくく安全な装置が得られるという効果がある。
【００１７】
＜実施形態２＞
図４、図５は実施形態２を示す。実施形態２は図４から理解できるように、実施形態１の取付装置１４における中央部１４ａの両側縁に略９０度の折曲縁２６を設けると共に、延長部１４ｂ、１４ｂの両側縁にも略９０度の折曲縁２５を設け、更に折曲縁２６と折曲縁２５の重なり部分２８をスポット溶接した実施例である。図５は取付装置１４の展開図である。図５で点線は折り曲げ加工をする部分で、実線は切れ目を入れる部分である。
以上に示したように、実施形態２では見かけ上、製作加工が少し複雑になるが、中央部１４ａと延長部１４ｂとの接続部分に作用する耐モーメント力を大幅に増大することができる。従って、鋼板の厚さを薄くすることができるため、材料費や加工費を節約できるという効果が得られる。
【００１８】
＜実施形態３＞
図６は実施形態３（取付装置２９）の分解した斜視図を示す。取付装置２９ではレースウェイ本体１１に固定する固定部材３０と照明器具本体１５を取り付ける取付部材３４とを別々の部材で構成した場合である。図６において、固定部材３０は実施形態２の取付装置１４と似た構成であるが、固定部３１の両側に設けた延長部３２の辺縁に設けた折曲縁（係止縁）３３は補強が目的ではなく、取付部材３４を係止するためである。従って、係止用の折曲縁３３は上方外側斜めに広げて設ける。また、取付部材３４の両側辺には折曲縁３３に嵌合させて係止する折返縁３５を設ける。取付部材３４の中央に設けた開口穴３６はレースウェイ本体１１を通ってきた電気配線を照明器具本体１５へ引き出すための開口である。取付部材３４の両端中央には照明器具本体１５を取り付けるためのボルト穴２２を設ける。更に、取付部材３４を固定部材３０に連結した後のストッパーとして、固定部材３０にねじ穴（又は丸穴）３７ａを設けると共に、取付部材３４にもねじ穴（又は丸穴）３７ｂを設ける。
【００１９】
取付装置２９の固定及び取り付け手順について以下に説明する。固定部材３０のレースウェイ本体１１への固定は実施形態１で説明した固定方法と全く同じである。従って、以下に、取付部材３４を固定部材３０に連結する手順について説明する。まず、レースウェイ本体１１から電気配線コードを引き出しておく。次いで、取付部材３４の折返縁３５を右側（又は左側）から折曲縁３３に嵌合させながら左方向に摺動させ、開口穴３６が固定部３１の真下に来るまで移動する。次に、引き出した電気配線コードを開口穴３６を通過させた後に照明器具本体１５の接続端子に接続する。最後に、ビス３７をねじ穴３（穴）７ａ、３７ｂ（穴）に螺合させて取付部材３４を固定し、反射板１６、蛍光灯１７を照明器具本体１５に取り付ける。分解又は取り外しは上記した順序を逆に行う。
以上に説明したように、実施形態３によれば、取付部材３４を固定部材３０と別個の構成にしたので、長さの異なる長尺の種々の照明器具に対して容易に取付部材３４の交換が可能になるので種々の長尺の照明器具を取り付けが可能になるという効果が得られる。
【００２０】
以上、この発明の実施形態、実施例を図面により詳述してきたが、具体的な構成はこの実施例に限られるものではなく、この発明の要旨を逸脱しない範囲の設計の変更等があってもこの発明に含まれる。例えば、レースウェイ本体の開放辺が上向きの場合、即ち、レースウェイ本体の開放辺が上辺の場合は、固定部のコ字形状の開放辺を上向きにしてレースウェイの内側に入るように構成し、コ字形状の上端両端から延長部材を下向きに曲げて、コ字形状の底辺位置又はそれより少し低いところから両側方向に左右に延長部を広げるようにして構成してもよい。また、請求項１〜請求項５の発明にあっては、固定部と取付部は別々の部材で構成し、鋲などで連結したものでもよい。
【図面の簡単な説明】
【００２１】
【図１】本発明を実施した実施形態１の組立た全体構成を示す。
【図２】実施形態１の固定部の詳細を示す。
【図３】実施形態１の組立分解図を示す。
【図４】実施形態２の構成を示す。
【図５】実施形態２の展開図を示す。
【図６】実施形態３の分解図を示す。
【図７】従来装置の全体構成を示す。
【図８】従来装置の固定部（Ａ）と取り付け部（Ｂ）の詳細を示す。
【符号の説明】
【００２２】
１０            レースウェイ
１１            レースウェイ本体
１２            レースウェイカバー
１４            照明器具取り付け装置
１５            長尺の照明器具
１６            反射板
１７            直管蛍光灯
２０            ボルト穴
２２            ボルト穴          
２５、２６      折曲縁（補強用）
３０            固定部材
３１            中央部
３２            延長部
３３            係止縁
３４            取付部材
３５            折返縁
３６            開口穴
【図１】
2007287421.tif 000003
【図２】
2007287421.tif 000004
【図３】
2007287421.tif 000005
【図４】
2007287421.tif 000006
【図５】
2007287421.tif 000007
【図６】
2007287421.tif 000008
【図７】
2007287421.tif 000009
【図８】
2007287421.tif 000010